(57)【特許請求の範囲】
【請求項１】
基本波光源として動的縦単一モードレーザーを用い、該動的縦単一モードレーザーの発生する基本波レーザー光をＳＨＧ素子に入射することによりＳＨＧ素子から短波長のＳＨＧレーザー光を出力し、動的縦単一モードレーザーの発振波長が極大値のときにＳＨＧレーザー光の出力パワーが最大となるように設定された波長変換装置において、
前記ＳＨＧ素子から出力されるＳＨＧレーザー光の出力パワーを検出する光強度検出手段と、
前記光強度検出手段で検出されるＳＨＧレーザー光の出力パワー値とその時の動的縦単一モードレーザーの駆動電流値からＳＨ光パワー特性曲線を求め、該得られたＳＨ光パワー特性曲線中の単調変化部分の駆動電流値を動的縦単一モードレーザーの最適駆動電流値として選択する駆動電流最適化手段とを備え、
前記駆動電流最適化手段は、前記ＳＨ光パワー特性曲線において駆動電流を増加させた時に設定パワー値とクロスする位置の駆動電流値の数をカウントし、該カウントされた駆動電流値中の奇数番目のクロス点の駆動電流値を最適駆動電流値として選択する
ことを特徴とする波長変換装置。
【請求項２】
請求項１記載の波長変換装置において、
予め設定しておいた奇数番目のクロス点の駆動電流値を最適駆動電流値として選択することを特徴とする波長変換装置。
【請求項３】
請求項１記載の波長変換装置において、
奇数番目のクロス点の駆動電流値のそれぞれについてその前後の偶数クロス点との間の電流差分を求め、さらにこの電流差分の差が最も小さくなるクロス点の駆動電流値を最適駆動電流値として選択することを特徴とする波長変換装置。
【請求項４】
基本波光源として動的縦単一モードレーザーを用い、該動的縦単一モードレーザーの発生する基本波レーザー光をＳＨＧ素子に入射することによりＳＨＧ素子から短波長のＳＨＧレーザー光を出力し、動的縦単一モードレーザーの発振波長が極小値のときにＳＨＧレーザー光の出力パワーが最大となるように設定された波長変換装置において、
前記ＳＨＧ素子から出力されるＳＨＧレーザー光の出力パワーを検出する光強度検出手段と、
前記光強度検出手段で検出されるＳＨＧレーザー光の出力パワー値とその時の動的縦単一モードレーザーの駆動電流値からＳＨ光パワー特性曲線を求め、該得られたＳＨ光パワー特性曲線中の単調変化部分の駆動電流値を動的縦単一モードレーザーの最適駆動電流値として選択する駆動電流最適化手段とを備え、
前記駆動電流最適化手段は、前記ＳＨ光パワー特性曲線において駆動電流を増加させた時に設定パワー値とクロスする位置の駆動電流値の数をカウントし、該カウントされた駆動電流値中の偶数番目のクロス点の駆動電流値を最適駆動電流値として選択する
ことを特徴とする波長変換装置。
【請求項５】
請求項４記載の波長変換装置において、
予め設定しておいた偶数番目のクロス点の駆動電流値を最適駆動電流値として選択することを特徴とする波長変換装置。
【請求項６】
請求項４記載の波長変換装置において、
偶数番目のクロス点の駆動電流値のそれぞれについてその前後の奇数クロス点との間の電流差分を求め、さらにこの電流差分の差が最も小さくなるクロス点の駆動電流値を最適駆動電流値として選択することを特徴とする波長変換装置。
【発明の詳細な説明】
【０００１】
【発明の属する技術分野】
本発明は、波長変換装置に係り、より詳しくは、動的縦単一モードレーザーとＳＨＧ（Second Harmonic Generation：第２高調波発生）素子を用いた波長変換装置に関するものである。
【０００２】
【従来の技術】
次世代光ディスクの１つとして、記録情報の高密度化を図ったＤＶＤ（ディジタル・ビデオ・ディスク）が提供されようとしている。このＤＶＤを初めとして、光ディスクの記録情報の高密度化を図るには、光ピックアップに用いられるレーザー光を短波長化する必要がある。レーザー光の波長が短ければ短いほどビームのスポット径を絞ることができ、より高密度化することが可能となるからである。
【０００３】
このような目的のために、波長の短い青色／緑色小型半導体レーザーの研究・開発が行なわれているが、いまだ実験室段階のレベルであり、実用には至っていない。このため、波長の短い青色／緑色レーザー光などを得るための１つの手法として、ＳＨＧレーザーが利用されている。このＳＨＧレーザーは、基本波のレーザー光を非線形光学素子たるＳＨＧ素子に通すことにより、基本波の１／２波長からなる短波長のレーザー光を得るようにしたものである。
【０００４】
ところで、前記ＳＨＧ素子の基本波許容幅は非常に狭く、例えば疑似位相整合（ＱＰＭ）方式のＳＨＧ素子においては、ＳＨＧの半値全幅で約０．２ｎｍ程度しかない。この厳しい動作条件を満足するために、基本波光源として波長変化の小さな動的縦単一モードレーザー、例えば、ＤＢＲ（分布ブラッグ反射器型）レーザー素子やＤＦＢ（分布帰還型）レーザー素子などを用いた波長変換装置が用いられている。
【０００５】
図３に、このＤＢＲレーザー素子とＳＨＧ素子を用いた従来の波長変換装置の構成を示す。図において、１はレーザー駆動電源、２は基本波発生用のＤＢＲレーザー素子、３はＳＨＧレーザー光発生用のＳＨＧ素子、４は温度コントロール素子、５は温度コントローラーである。
【０００６】
レーザー駆動電源１からＤＢＲレーザー素子２に駆動電流を供給すると、ＤＢＲレーザー素子２から基本波となるレーザー光Ｌ０  が出力される。この基本波レーザー光Ｌ０  をＳＨＧ素子３に入射してやることにより、ＳＨＧ素子３からは、その非線形光学特性に基づいて、基本波の１／２波長からなるＳＨＧレーザー光Ｌ１  が出力される。なお、温度変化を防止するために、ＤＢＲレーザー素子２とＳＨＧ素子３は、温度コントロール素子４と温度コントローラー５によって温度コントロールされている。
【０００７】
【発明が解決しようとする課題】
しかしながら、前記従来の波長変換装置においても次のような問題があった。すなわち、ＤＢＲレーザー素子２から出力される基本波レーザー光Ｌ０  の波長は完全な一定値ではなく、図４に示すように、駆動電流の変化に対して０．１ｎｍ程度の幅で周期的に変動する。そして、この周期的な波長変動のために、例えば、ＤＢＲレーザー光の波長が極大値λ１  のときにＳＨＧ出力パワーが最大となるように温度コントロール素子４と温度コントローラー５により波長変換装置を温度制御すると、ＳＨＧ素子３から出力されるＳＨＧレーザー光Ｌ１  の出力パワーは、図５に示すように、駆動電流の変化に対して鋸歯状に周期的に変化しながら増加していく非単調増加特性を示す。
【０００８】
ところで、この種のレーザー光源を光ディスクの光ピックアップなどに用いる場合、レーザー光の出力パワーが一定となるようにＡＰＣ（Ａｕｔｏｍａｔｉｃ  Ｐｏｗｅｒ  Ｃｏｎｔｒｏｌ）をかける必要がある。レーザー光源が図５のようなＳＨ光パワー特性を有する場合、出力パワーが垂直方向に急峻に変化する位置でＡＰＣがかると、駆動電流の僅かな変化によっても出力パワーが急激に変わり、ＡＰＣ動作が不安定になってしまう。このような現象が発生すると、例えば光ディスクの場合には、フォーカスサーボやトラッキングサーボが不調となり、再生不能となるなどの問題を生じる。
【０００９】
本発明は、上記のような問題を解決するためになされたもので、ＳＨＧ素子から出力されるＳＨＧレーザー光の出力パワーの安定化を図ることのできる波長変換装置を提供することを目的とするものである。
【００１０】
【課題を解決するための手段】
前記課題を解決するために、本発明では次のような手段を採用した。
【００１２】
すなわち、請求項１記載の発明は、基本波光源として動的縦単一モードレーザーを用い、該動的縦単一モードレーザーの発生する基本波レーザー光をＳＨＧ素子に入射することによりＳＨＧ素子から短波長のＳＨＧレーザー光を出力し、動的縦単一モードレーザーの発振波長が極大値のときにＳＨＧレーザー光の出力パワーが最大となるように設定された波長変換装置において、前記ＳＨＧ素子から出力されるＳＨＧレーザー光の出力パワーを検出する光強度検出手段と、該光強度検出手段で検出されるＳＨＧレーザー光の出力パワー値とその時の動的縦単一モードレーザーの駆動電流値を用いてＳＨ光パワー特性曲線を求め、該得られたＳＨ光パワー特性曲線中の単調変化部分の駆動電流値を動的縦単一モードレーザーの最適駆動電流値として選択する駆動電流最適化手段とを備え、前記駆動電流最適化手段は、前記ＳＨ光パワー特性曲線において駆動電流を増加させた時に設定パワー値とクロスする位置の駆動電流値の数をカウントし、該カウントされた駆動電流値中の奇数番目のクロス点の駆動電流値を最適駆動電流値として選択することを特徴とするものである。
【００１３】
このような構成とした場合、動的縦単一モードレーザーの駆動電流が変動しても、ＳＨＧ素子から出力されるＳＨＧレーザー光の出力パワーの急峻な変動を避けることができ、出力パワーの安定化を図った波長変換装置を得ることができ、奇数番目のクロス点の駆動電流値を選ぶだけで、動的縦単一モードレーザーの最適駆動電流値をＳＨ光パワー特性曲線の単調変化部分に簡単に設定することができる。
【００１６】
また、請求項２記載の発明は、前記請求項１記載の発明において、予め設定しておいた奇数番目のクロス点の駆動電流値を最適駆動電流値として選択するようにしたものである。
【００１７】
このような構成とした場合、動的縦単一モードレーザーの発振波長が極大値のときにＳＨＧレーザー光の出力パワーが最大となるように設定された波長変換装置において、最適駆動電流値を最も簡単に設定することができる。
【００１８】
また、請求項３記載の発明は、前記請求項１記載の発明において、奇数番目のクロス点の駆動電流値のそれぞれについてその前後の偶数クロス点との間の電流差分を求め、さらにこの電流差分の差が最も小さくなるクロス点の駆動電流値を最適駆動電流値として選択することを特徴とするものである。
【００１９】
このような構成とした場合、動的縦単一モードレーザーの発振波長が極大値のときにＳＨＧレーザー光の出力パワーが最大となるように設定された波長変換装置において、単調増加部分の最も中央に位置する駆動電流値を最適駆動電流値として選択することができる。このため、ＳＨＧ素子から出力されるＳＨＧレーザー光の出力パワーの安定度をより高めることができる。
【００２０】
また、請求項４記載の発明は、基本波光源として動的縦単一モードレーザーを用い、該動的縦単一モードレーザーの発生する基本波レーザー光をＳＨＧ素子に入射することによりＳＨＧ素子から短波長のＳＨＧレーザー光を出力し、動的縦単一モードレーザーの発振波長が極小値のときにＳＨＧレーザー光の出力パワーが最大となるように設定された波長変換装置において、前記ＳＨＧ素子から出力されるＳＨＧレーザー光の出力パワーを検出する光強度検出手段と、該光強度検出手段で検出されるＳＨＧレーザー光の出力パワー値とその時の動的縦単一モードレーザーの駆動電流値を用いてＳＨ光パワー特性曲線を求め、該得られたＳＨ光パワー特性曲線中の単調変化部分の駆動電流値を動的縦単一モードレーザーの最適駆動電流値として選択する駆動電流最適化手段とを備え、前記駆動電流最適化手段は、前記ＳＨ光パワー特性曲線において駆動電流を増加させた時に設定パワー値とクロスする位置の駆動電流値の数をカウントし、該カウントされた駆動電流値中の偶数番目のクロス点の駆動電流値を最適駆動電流値として選択することを特徴とするものである。
【００２１】
このような構成とした場合、偶数番目のクロス点の駆動電流値を選ぶだけで、動的縦単一モードレーザーの最適駆動電流値をＳＨ光パワー特性曲線の単調変化部分に簡単に設定することができる。
【００２２】
また、請求項５記載の発明は、前記請求項４記載の発明において、予め設定しておいた偶数番目のクロス点の駆動電流値を最適駆動電流値として選択することを特徴とするものである。
【００２３】
このような構成とした場合、動的縦単一モードレーザーの発振波長が極小値のときにＳＨＧレーザー光の出力パワーが最大となるように設定された波長変換装置において、最適駆動電流値を最も簡単に設定することができる。
【００２４】
さらに、請求項６記載の発明は、前記請求項４記載の発明において、偶数番目のクロス点の駆動電流値のそれぞれについてその前後の奇数クロス点との間の電流差分を求め、さらにこの電流差分の差が最も小さくなるクロス点の駆動電流値を最適駆動電流値として選択することを特徴とするものである。
【００２５】
このような構成とした場合、動的縦単一モードレーザーの発振波長が極小値のときにＳＨＧレーザー光の出力パワーが最大となるように設定された波長変換装置において、単調減少部分の最も中央に位置する駆動電流値を最適駆動電流値として選択することができる。このため、ＳＨＧ素子から出力されるＳＨＧレーザー光の出力パワーの安定度をより高めることができる。
【００２６】
【発明の実施の形態】
以下、本発明の実施の形態について図面を参照して説明する。
図１に、本発明に係る波長変換装置の一例を示す。
図において、１はレーザー駆動電源、２は基本波発生用のＤＢＲレーザー素子、３はＳＨＧレーザー光発生用のＳＨＧ素子、４は温度コントロール素子、５は温度コントローラー、６はハーフミラーなどからなるビームサンプラー、７はＳＨＧ素子３から出力されるＳＨＧレーザー光Ｌ１  の光強度を検出する光センサ、８は設定パワー値Ｐ０  を与える最適駆動電流値を選択するための駆動電流最適化回路である。なお、図３の従来装置と同一または相当部分には同一の符号を付して示した。
【００２７】
次に、前記波長変換装置の動作を、図２のＳＨ光パワー特性曲線を参照して説明する。
なお、駆動電流最適化回路８には、予め使用機器に応じた最適な設定パワー値Ｐ０  が与えられているものとする。本発明の波長変換装置は、この設定パワー値Ｐ０  を与える最適駆動電流値を求め、これをレーザー駆動電源１に設定するようにしたものである。
【００２８】
装置の電源が投入されて動作が開始されると、駆動電流最適化回路８は、まず、レーザー駆動電源１を制御してＤＢＲレーザー素子２に供給する駆動電流を掃引し、その値を０から徐々に増加させていく。そして、この掃引される駆動電流の各値において、ＳＨＧ素子３から出力されるＳＨＧレーザー光Ｌ１  の光強度をビームサンプラー６と光センサ７によって検出し、駆動電流最適化回路８にフィードバックする。
【００２９】
上記のようにして、各駆動電流に対するＳＨＧレーザー光Ｌ１  の出力パワーを検出していくことにより、駆動電流最適化回路８内のメモリ（図示略）には、図２に示すようなＳＨ光パワー特性曲線が得られる。
【００３０】
図２に示すごときＳＨ光パワー特性曲線が得られたら、駆動電流最適化回路８は、設定パワー値Ｐ０  とクロスする駆動電流位置と、そのクロス回数を求める。図２の例の場合、第１番目のクロス点は駆動電流ＩＡ  位置、第２番目のクロス点は駆動電流ＩＢ  位置、第３番目のクロス点は駆動電流Ｉ０  位置、第４番目のクロス点は駆動電流ＩＣ  位置、第５番目のクロス点は駆動電流ＩＤ  位置、第６番目のクロス点は駆動電流ＩＥ  位置となる。
【００３１】
次に、駆動電流最適化回路８は、これらのクロス点の中から、設定パワー値Ｐ０  を出力するための最適電流値として、後述するような方法によって決定された奇数番目のクロス点の駆動電流値を選択し、この選択された駆動電流値をレーザー駆動電源１にセットし、ＤＢＲレーザー素子２を駆動する。
【００３２】
図２から明らかなように、奇数番目のクロス点はＳＨ光パワー特性曲線の単調増加部分に位置する。したがって、この位置で駆動電流が若干変動してもＳＨＧ素子３から出力されるＳＨＧレーザー光Ｌ１  の出力パワーが大きく変動することはない。この結果、ＤＢＲレーザー素子２の駆動電流に対するＳＨＧ素子から出力されるＳＨＧレーザー光の出力パワーの安定化を図ることができる。
【００３３】
前記奇数番目のクロス点の駆動電流値の選択方法としては、例えば、
▲１▼  予め定めた奇数番目のクロス点、例えば第３番目のクロス点の駆動電流値を最適駆動電流として選択する方法
▲２▼  奇数番目のクロス点のすべてについて、その前後の偶数クロス点との間の電流差分値を算出し、この電流差分の差が最も小さなクロス点の駆動電流値を最適駆動電流として選択する方法
などを採用することができる。
【００３４】
前記▲１▼の方法を、図２において説明すると、第３番目のクロス点の駆動電流値はＩ０  であるから、このＩ０  が最適駆動電流値として選択され、レーザー駆動電源１にセットされる。図２から明らかなように、第３番目のクロス点の駆動電流値Ｉ０  は、その前後の偶数点の駆動電流値ＩＢ  とＩＣ  を結ぶ単調増加曲線上に位置している。したがって、駆動電流値Ｉ０  がこの単調増加曲線上で若干変動しても、ＳＨＧ素子３から出力されるＳＨＧレーザー光Ｌ１  の出力パワーが急激に変動するようなことはなくなる。この結果、出力パワーの安定化が図られる。
【００３５】
前記▲２▼の方法を、図２において説明すると、第１番目のクロス点の駆動電流値はＩＡ  、第３番目のクロス点の駆動電流値はＩ０  、第５番目のクロス点の駆動電流値はＩＤ  である。そこで、これら各奇数番目のクロス点について、その前後の偶数クロス点との間の電流差分値の差を算出すると、第１番目のクロス点については前側のクロス点が存在しないので算出不要、第３番目のクロス点については（Ｉ０  −ＩＢ  ）  ー（ＩＣ  −Ｉ０  ）、第５番目のクロス点については（ＩＤ  −ＩＣ  ）ー（ＩＥ  −ＩＤ  ）となる。
【００３６】
いま、前記電流差分値の差を演算した結果、第３番目と第５番目のクロス点について、｛（Ｉ０  −ＩＢ  ）ー（ＩＣ  −Ｉ０  ）｝＜｛（ＩＤ  −ＩＣ  ）ー（ＩＥ  −ＩＤ  ）｝となったものとすると、第３番目のクロス点の駆動電流値Ｉ０  がその時の最適駆動電流値として選択され、レーザー駆動電源１にセットされる。この▲２▼の方法によるときは、図２のＳＨ光パワー特性曲線における単調増加部分の最も中央寄りに位置する奇数クロス点の駆動電流値が最適駆動電流値として選択される。したがって、この▲２▼の方法によるときは、前記▲１▼の方法によるときよりも出力パワーの安定度が向上する。
【００３７】
なお、ＤＢＲレーザー光の波長が極小値λ２  （図４）のときにＳＨＧ出力パワーが最大になるように温度制御した場合には、ＳＨ光パワー特性曲線は図６のようになるので、この場合には、ＤＢＲレーザー素子の駆動電流値を単調減少部分に設定し、偶数番目のクロス点を最適駆動電流値とすれば、同様の効果が得られる。
【００３８】
【発明の効果】
以上説明したように、請求項１記載の発明によるときは、基本波光源として動的縦単一モードレーザーを用い、該動的縦単一モードレーザーの発生する基本波レーザー光をＳＨＧ素子に入射することによりＳＨＧ素子から短波長のＳＨＧレーザー光を出力し、動的縦単一モードレーザーの発振波長が極大値のときにＳＨＧレーザー光の出力パワーが最大となるように設定された波長変換装置において、前記ＳＨＧ素子から出力されるＳＨＧレーザー光の出力パワーを検出する光強度検出手段と、該光強度検出手段で検出されるＳＨＧレーザー光の出力パワー値とその時の動的縦単一モードレーザーの駆動電流値を用いてＳＨ光パワー特性曲線を求め、該得られたＳＨ光パワー特性曲線中の単調変化部分の駆動電流値を動的縦単一モードレーザーの最適駆動電流値として選択する駆動電流最適化手段とを備え、前記駆動電流最適化手段は、前記ＳＨ光パワー特性曲線において駆動電流を増加させた時に設定パワー値とクロスする位置の駆動電流値の数をカウントし、該カウントされた駆動電流値中の奇数番目のクロス点の駆動電流値を最適駆動電流値として選択するようにしたので、動的縦単一モードレーザーの駆動電流が変動してもＳＨＧ素子から出力されるＳＨＧレーザー光の出力パワーの変動を最小に抑えることができ、出力パワーの安定化を図った波長変換装置を提供することができ、奇数番目のクロス点の駆動電流値を選ぶだけで、動的縦単一モードレーザーの駆動電流値をＳＨ光パワー特性曲線の単調変化部分に簡単に設定することができる。
【００４１】
また、請求項２記載の発明によるときは、請求項１記載の発明において、予め設定しておいた奇数番目のクロス点の駆動電流値を最適駆動電流値として選択するようにしたので、最適駆動電流値を最も簡単に設定することができる。
【００４２】
また、請求項３記載の発明は、請求項１記載の発明において、奇数番目のクロス点の駆動電流値のそれぞれについてその前後の偶数クロス点との間の電流差分を求め、さらにこの電流差分の差が最も小さくなるクロス点の駆動電流値を最適駆動電流値として選択するようにしたので、単調増加部分の最も中央に位置する駆動電流値を最適駆動電流値として選択することができる。このため、ＳＨＧ素子から出力されるＳＨＧレーザー光の出力パワーの安定度をより高めることができる。
【００４３】
また、請求項４記載の発明によるときは、基本波光源として動的縦単一モードレーザーを用い、該動的縦単一モードレーザーの発生する基本波レーザー光をＳＨＧ素子に入射することによりＳＨＧ素子から短波長のＳＨＧレーザー光を出力し、動的縦単一モードレーザーの発振波長が極小値のときにＳＨＧレーザー光の出力パワーが最大となるように設定された波長変換装置において、前記ＳＨＧ素子から出力されるＳＨＧレーザー光の出力パワーを検出する光強度検出手段と、前記光強度検出手段で検出されるＳＨＧレーザー光の出力パワー値とその時の動的縦単一モードレーザーの駆動電流値からＳＨ光パワー特性曲線を求め、該得られたＳＨ光パワー特性曲線中の単調変化部分の駆動電流値を動的縦単一モードレーザーの最適駆動電流値として選択する駆動電流最適化手段とを備え、前記駆動電流最適化手段は、前記ＳＨ光パワー特性曲線において駆動電流を増加させた時に設定パワー値とクロスする位置の駆動電流値の数をカウントし、該カウントされた駆動電流値中の偶数番目のクロス点の駆動電流値を最適駆動電流値として選択するようにしたので、動的縦単一モードレーザーの駆動電流が変動してもＳＨＧ素子から出力されるＳＨＧレーザー光の出力パワーの変動を最小に抑えることができ、出力パワーの安定化を図った波長変換装置を提供することができ、偶数番目のクロス点の駆動電流値を選ぶだけで、動的縦単一モードレーザーの駆動電流値をＳＨ光パワー特性曲線の単調変化部分に簡単に設定することができる。
【００４４】
また、請求項５記載の発明によるときは、請求項４記載の発明において、予め設定しておいた偶数番目のクロス点の駆動電流値を最適駆動電流値として選択するようにしたので、最適駆動電流値を最も簡単に設定することができる。
【００４５】
さらに、請求項６記載の発明は、請求項４記載の発明において、偶数番目のクロス点の駆動電流値のそれぞれについてその前後の奇数クロス点との間の電流差分を求め、さらにこの電流差分の差が最も小さくなるクロス点の駆動電流値を最適駆動電流値として選択するようにしたので、単調減少部分の最も中央に位置する駆動電流値を最適駆動電流値として選択することができる。このため、ＳＨＧ素子から出力されるＳＨＧレーザー光の出力パワーの安定度をより高めることができる。
【図面の簡単な説明】
【図１】本発明に係る波長変換装置の一例を示す図である。
【図２】本発明における最適駆動電流値の選択方法の説明図である。
【図３】従来の波長変換装置の構成を示す図である。
【図４】波長が極大値のときにＳＨＧ出力パワーが最大となるように温度コントロールしたときのＤＢＲレーザー素子の波長特性図である。
【図５】波長が極大値のときにＳＨＧ出力パワーが最大となるように温度コントロールしたときのＤＢＲレーザー素子のＳＨ光パワー特性図である。
【図６】波長が極小値のときにＳＨＧ出力パワーが最大となるように温度コントロールしたときのＤＢＲレーザー素子のＳＨ光パワー特性図である。
【符号の説明】
１    レーザー駆動電源
２    ＤＢＲレーザー素子
３    ＳＨＧ素子
４    温度コントロール素子
５    温度コントローラー
６    ビームサンプラー
７    光センサ
８    駆動電流最適化回路
Ｌ０    基本波レーザー光
Ｌ１    ＳＨＧレーザー光
Ｐ０    設定パワー値
λ１    ＤＢＲレーザー素子の発振波長の極大値
λ２    ＤＢＲレーザー素子の発振波長の極小値
【図１】
0003590176.tif 000002
【図２】
0003590176.tif 000003
【図３】
0003590176.tif 000004
【図４】
0003590176.tif 000005
【図５】
0003590176.tif 000006
【図６】
0003590176.tif 000007